(57)【要約】【課題】より効果的にマイナスイオンを発生させ、十分にマイナスイオン効果を奏するマイナスイオン発生シート及びこれを用いたヘアブラシを提供する。【解決手段】マイナスイオンを発生させるとともに、遠赤外線及び極微量の放射線を放出する高分子樹脂組成物１を、基材シート３を介して起電力発生シート２に積層している。この起電力発生シート２は、互いに電位差を有する異種金属からなる第１の金属シート２１と第２の金属シート２２とを貼り合わせたものであり、前記マイナスイオン等を効果的に放出させるための起電力を発生させる。【選択図】図１
2008012083.tif 000002
【特許請求の範囲】
【請求項１】
マイナスイオンを発生させるシート状の高分子樹脂組成物と、
電位差を有するシート状の異種金属どうしを接触させることにより生じる起電力によって、前記マイナスイオンの発生効率を高める起電力発生シートと
を備えることを特徴とするマイナスイオン発生シート。
【請求項２】
前記異種金属が、鉄と銅である請求項１に記載のマイナスイオン発生シート。
【請求項３】
前記高分子樹脂組成物が、遠赤外線及び極微量の放射線を放出し、この放射線の放出線量が、３．０μＳｖ／時以下である請求項１に記載のマイナスイオン発生シート。
【請求項４】
ブラシ毛と、
このブラシ毛を植え込む植毛部を有するブラシ本体とを備え、
前記植毛部に、請求項１〜３のいずれか１項に記載のマイナスイオン発生シートを設けたことを特徴とするヘアブラシ。
【発明の詳細な説明】
【技術分野】
【０００１】
本発明は、マイナスイオンを発生させるマイナスイオン発生シート及びこれを用いたヘアブラシに関する。
【背景技術】
【０００２】
近年、マイナスイオンを発生する各種の製品が提案されている。例えば特許文献1には、マイナスイオンを発生させるヘアブラシが開示されている。このヘアブラシは、ブラシ毛を植え込む植毛部を、トルマリン等のマイナスイオンを発生させる鉱石の微粉末を混練した高分子樹脂組成物で形成したものである。また、特許文献２には、マイナスイオンを発生させるシートとして、トルマリン等の鉱石の微粉末を混練した高分子樹脂組成物をシート基材に塗布したものが開示されている。
【０００３】
【特許文献１】特開２００４−８６６９号公報
【特許文献２】特開２００２−１１８３４号公報
【発明の開示】
【発明が解決しようとする課題】
【０００４】
前記樹脂組成物は、マイナスイオンを発生させる鉱石の微粉末が、樹脂の内部に閉じ込められているので、マイナスイオンの発生効率が悪く、十分なマイナスイオン効果を奏することができないという問題があった。
本発明は、このような事情に鑑みてなされたものであり、より効果的にマイナスイオンを発生させることができ、十分なマイナスイオン効果を奏するマイナスイオン発生シート及びこれを用いたヘアブラシを提供することを目的とする。
【課題を解決するための手段】
【０００５】
前記目的を達成するための本発明に係るマイナスイオン発生シートは、マイナスイオンを発生させるシート状の高分子樹脂組成物と、電位差を有するシート状の異種金属どうしを接触させることにより生じる起電力によって、前記マイナスイオンの発生効率を高める起電力発生シートとを備えることを特徴としている。
【０００６】
本発明によれば、前記起電力発生シートの起電力により、高分子樹脂組成物がマイナスイオンを効果的に放出することができる。これは、コンタクトセル(接触電池）作用により発生する前記起電力発生シートの起電力により、高分子樹脂組成物を構成している原子の相互間に、伸縮運動や変角運動等の振動運動が生じて、前記高分子樹脂組成物からより効果的にマイナスイオンが放出されるものと推定される。
【０００７】
前記異種金属は、鉄と銅であるのが好ましい。この場合、鉄と銅は起電力を発生させるための十分な電位差を有するため、より効果的にマイナスイオンを発生させることができる。また、両金属は比較的安価で加工し易いので、マイナスイオン発生シートの製造コストを安くすることができる。
【０００８】
また、前記高分子樹脂組成物は、遠赤外線及び極微量の放射線を放出し、この放射線の放出線量が、３．０μＳｖ／時以下であるのが好ましい。これにより、マイナスイオンの効果に加え、遠赤外線及び放射線により人体へ有用な効果を与えることができる。
【０００９】
本発明に係るヘアブラシは、ブラシ毛と、このブラシ毛を植え込む植毛部を有するブラシ本体とを備え、前記植毛部に、請求項１〜３のいずれか１項に記載のマイナスイオン発生シートを設けたことを特徴とする。このような構成によれば、より効果的なマイナスイオン効果を奏するヘアブラシを提供することができる。
【発明の効果】
【００１０】
本発明に係るマイナスイオン発生シート及びこれを用いたヘアブラシによれば、より効果的にマイナスイオンを発生させることができるので、十分なマイナスイオン効果を奏することができる。
【発明を実施するための最良の形態】
【００１１】
以下、図面を参照しつつ、本発明の実施形態を説明する。
図１は、本発明に係るマイナスイオン発生シートの一実施形態を示す一部欠截斜視図である。同図に示すマイナスイオン発生シートＡは、マイナスイオンを発生させるシート状の高分子樹脂組成物１と、起電力により前記マイナスイオンの発生効率を高める起電力発生シート２とを備えている。
【００１２】
前記高分子樹脂組成物１は、ラドン（−２２）やトロン（ラドン−２２０）を含む天然放射性稀有元素鉱物の微粉末と、遠赤外線セラミックと、高分子樹脂とを混合し固着させたものである。前記天然放射性稀有元素鉱物は、例えばモナズ石、バストネス石等といった鉱物で、放射線の放出線量は、人体等に悪影響を及ぼさないとされる３．０μＳｖ／時以下の鉱物である。当該天然放射性稀有元素鉱物から放出されるアルファー線、ベータ線、ガンマー線のエネルギーにより原子や分子をラジカル化したり、電離作用でイオン対を発生したりする。この結果、生じる化学反応や放射線による二次放射線やイオン対によりマイナスイオンが発生する。この時、プラスイオンも発生するが、前記遠赤外線セラミックがマイナスイオンの放出を励起することにより、マイナスイオンが大量に発生する。
なお、前記高分子樹脂組成物１は、基材シート３に塗布することにより、シート状に形成されている。前記基材シート３としては、紙、織布、不織布等が用いられる。
【００１３】
起電力発生シート２は、電位差を有する互いに種類の異なる第１の金属シート２１と第２の金属シート２２とを積層したものであり、このように異種金属どうしを接触させることにより、起電力を発生させるものである。すなわちコンタクトセル作用によって起電力を発生させるものである。
【００１４】
この実施の形態においては、前記第１の金属シート２１として鉄が、第２の金属シート２２として銅がそれぞれ用いられている。これは、鉄と銅は起電力を発生させるための十分な電位差を有するので、より効果的にマイナスイオンを発生させることができるためであり、また、両金属は比較的安価で加工し易いので、起電力発生シート２をコスト安価に製造することができるためである。
【００１５】
前記第１の金属シート２１の上面には、基材シート３が接合されており、これにより、高分子樹脂組成物１と起電力発生シート２とが一体化されている。なお、前記第１の金属シート２１と第２の金属シート２２とは、導電性の接着剤を用いて互いに導通した状態で積層されている。
【００１６】
以上の構成のマイナスイオン発生シートＡによれば、起電力発生シート２が発生する起電力によって、高分子樹脂組成物１がマイナスイオン、遠赤外線及び放射線を効果的に放出することができる。これは、前記起電力により、高分子樹脂組成物１を構成している原子の相互間に、伸縮運動や変角運動等の振動運動が生じて、前記高分子樹脂組成物１からより効果的にマイナスイオン、遠赤外線及び放射線が放出されるものと推定される。
【００１７】
また、前記高分子樹脂組成物１は、マイナスイオンの他、遠赤外線も効果的に放出するので、マイナスイオン発生シートＡを人体に装着した場合には、前記遠赤外線によって、血行促進、新陳代謝の促進、育毛等の効果が良好に得られる。また、極微量の放射線も効果的に放出するので、ラドンやトロンを含む温泉浴の効果と同じように、疾病に対する抵抗力が増加し、新陳代謝が促進するホルミシス効果を良好に得ることができる。
【００１８】
図２は他の実施の形態を示す一部欠截斜視図である。この実施の形態が図１に示す実施の形態と異なる点は、起電力発生シート２が、細い銅線と鉄線とを縦横に編んだ網目状のシートで構成されている点である。この起電力発生シート２は、縦列に鉄線を配し横列に銅線を配したものであってもよく、縦列と横列のそれぞれに鉄線と銅線とを交互に配したものであってもよい。
この実施の形態についても、コンタクトセル作用によって起電力を発生させて、マイナスイオンを効果的に発生させることができる。
【００１９】
図３は本発明に係るマイナスイオン発生シートＡを用いたヘアブラシ４の一実施形態を示す斜視図である。このヘアブラシ４は、ブラシ本体４１にブラシ毛４２を植毛したものである。前記ブラシ本体４１は合成樹脂により一体形成されており、ブラシ毛４２を植え込む植毛部４１ａと、このブラシ本体４１と一体の把持部４１ｂとを備えている。前記植毛部４１ａの表面には、マイナスイオン発生シートＡが貼り付けられている。このマイナスイオン発生シートＡは、図１又は図２に示すものと同じ構造のものである。
ブラシ本体４１は合成樹脂又は金属からなるものであり、その基端部が前記マイナスイオン発生シートＡを挿通した状態で前記植毛部４１ａに埋め込まれている。
【００２０】
このヘアブラシ４によれば、マイナスイオン発生シートＡから効率よくマイナスイオンが発生するので、ブラッシングにより人体の頭髪に十分なマイナスイオン効果を付与することができ、頭皮組織を効果的に保護し、頭髪の光沢や柔軟性を効果的に保持することができる。
【００２１】
＜検証試験＞
本発明に係るマイナスイオン発生シートのマイナスイオン発生効果を検証するために以下の試験を行った。
実施例として、図１に示すマイナスイオン発生シートＡと同じ構造で、約３０ｃｍ四方のものを用意した。
比較例として、実施例と同じ材質及び大きさの高分子樹脂組成物及び基材シートのみからなるマイナスイオン発生シートを用意した。
【００２２】
（測定条件）
(1)温度：２０〜２２℃
(2)湿度：３７〜３９％
(3)測定器：空気イオンカウンター（アンデス電気株式会社製ＩＴＣ−２０１Ａ）
(4)測定方法：前記温度及び湿度条件で複数回測定した。毎回、測定開始から２０秒経過した時点で１０秒間測定し、測定時間内における最高値と最低値との中間値を測定値とした。
上記の試験条件で実施例及び比較例のマイナスイオン発生量を測定した。その結果を表１に示す。表１中の測定値は、複数回の測定値の平均値である。また、表１中の参考値は、マイナスイオン発生シートが存在しない場合の測定値である。
【００２３】
【表１】
2008012083.tif 000003
【００２４】
表１から明らかなように、実施例のマイナスイオン発生シートは、比較例に対して約１．９倍のマイナスイオンを発生させ得ることが分かる。
【００２５】
なお、本発明に係るマイナスイオン発生シートは、前記した実施の形態に限らず本発明の範囲内において種々変更して実施することができる。例えば前記実施形態では、異種金属として鉄と銅を示したが、アルミニウムと金であってもよく、要するに起電力を発生させるための電位差を有する組み合わせであればよい。また、前記高分子樹脂組成物１は、基材シート３を介することなく起電力発生シート２に対して直接塗布または貼り付けてもよく、起電力発生シート２の片面だけでなく両面に設けてもよい。さらに、起電力発生シート２を複数層構成してもよい。
【図面の簡単な説明】
【００２６】
【図１】本発明に係るマイナスイオン発生シートの一実施形態を示す一部欠截斜視図である。
【図２】他の実施の形態を示す一部欠截斜視図である。
【図３】本発明に係るヘアブラシの一実施形態を示す斜視図である。
【符号の説明】
【００２７】
１    高分子樹脂組成物
２    起電力発生シート
３    基材シート
４    ヘアブラシ
４１  ブラシ本体
４１ａ  植毛部
４２  ブラシ毛
【図１】
2008012083.tif 000004
【図２】
2008012083.tif 000005
【図３】
2008012083.tif 000006